(57)【要約】【課題】本発明は、ズボンのベルト通し部に通したウエストベルトに通して装飾できるようにした装飾具を提供する。【解決手段】本発明に係る装飾具は、装飾具本体と、該装飾具本体の裏面に固定したベルト通し部と、該ベルト通し部の適所に形成した被連結棒とを備えてなることを特徴とし、装飾具本体の裏面に設けたベルト通し部に、ズボンのベルト通し部に通したウエストバンドの先端部に簡単に飾ることができる。また、請求項２に係る装飾具は、前記装飾本体が、前記被連結棒に係止できるフックを両端に有するファションチェーンを付属するものであることを特徴とし、装飾具本体の裏面に設けたベルト通し部に形成した被連結棒に鍵の束をポケットに入れ、ファションチェーンをポケットの外にループ状に垂れ下げて歩くことができるように構成した。【選択図】図１
2017209471.tif 000002
【特許請求の範囲】
【請求項１】
装飾具本体と、該装飾具本体の裏面に固定したベルト通し部と、該ベルト通し部の適所に形成した被連結棒とを備えてなることを特徴とする装飾具。
【請求項２】
前記装飾本体が、前記被連結棒に係止できるフックを両端に有するファションチェーンを付属するものであることを特徴とする請求項１に記載の装飾具。
【発明の詳細な説明】
【技術分野】
【０００１】  本発明は、ズボンのベルト通しに通したウエストベルトの先端部に簡単に飾ることのできる装飾具に関するものである。
【背景技術】
【０００２】  従来、ズボンのウエストの周囲に所定間隔毎に複数個配置された「ベルト通し部」の一つに着脱することのできる装飾具がある（特開２００７−６８６０７号公報）。この装飾具は、図４の如く、ズボン４１のウエスト部に配置され、ウエストベルト４２を通したベルト通し部４３を被包できる本体部分４４を有し、その表面に柄その他の装飾マーク４５を形成してなる。該本体部分４４は、横部に縦方向に開閉口４６を形成し、該開閉口４６を無理やりに開いて、前記ベルト通し部４３に嵌め、再度、閉じることにより取り付けることができるようになっている。そして、本体部分４４の下端部にはファションチェーン（図示せず）がフックを結合できる被結合部４７を備えていた。
【特許文献１】特開２００７−６８６０７号公報
【発明の開示】
【発明が解決しようとする課題】
【０００３】  しかしながら、前記装飾マーク４５を形成した本体部分４４は、その開閉口４６の開閉を繰り返すことによりベルト通し部４３に着脱するできるため、本体部分４４は長年使用するとその疲労のために破壊されてしまうことがあった。また、ズボン４１に形成したベルト通し部４３は、ズボンと同様の生地（主に布）で出来ており、しかも縫製によりズボンに一体的に取り付けられていることから、該ベルト通し部４３に装飾マーク４５を形成した本体部分４４を繰り返し取り付けるとベルト通し４３自体もへたったり、切れたりする恐れがあった。【０００４】  本発明は、上記欠点を除去するためのもので、その目的とするところは、ズボンのベルト通し部には通さず、ウエストベルトに装飾できるようにした装飾具を提供することにある。【０００５】  上記目的を達成するため、本発明に係る装飾具は、装飾具本体と、該装飾具本体の裏面に固定したベルト通し部と、該ベルト通し部の適所に形成した被連結棒とを備えてなることを特徴とし、装飾具本体の裏面に設けたベルト通し部に、ズボンのベルト通し部に通したウエストベルトに簡単に飾ることができるように構成した。【０００６】  また、請求項２に係る装飾具は、前記装飾本体が、前記被連結棒に係止できるフックを両端に有するファションチェーンを付属するものであることを特徴とし、装飾具本体の裏面に設けたベルト通し部の適所に形成した被連結棒にファションチェーンの一端のフックを連結して他端のフックに鍵の束を取り付け、その鍵の束をズボンのポケットに入れ、ファションチェーンをポケット外にループ状に垂れ下げて男気を強調して歩くことができるようにした。また、装飾具本体をファションチェーンによりネックレス状に胸に飾ることもできるように構成した。
【発明の効果】
【０００７】  本発明によれば、装飾具本体の裏面に、ズボンのウエストベルトを通すことのできるベルト通し部を設け、これにウエストベルトを通すことによりズボンの好きな位置に好きな装飾具を飾ることができるようにした。特に、その装飾具本体が「金」又は「銀」で作られたドクロであれば、男気を光らせることができる。換言すれば、ウエストベルトに飾った「金」又は「銀」の装飾具は、ジャケットの前から奥ゆかしく他人に見せることができて極めて満足感が高くなる。しかも、ズボンのベルト通し部は、本来のベルト通しとしての機能を果すのみで、装飾体を飾るためには全く使用していないので、ズボンのベルト通し部を従来の如く、傷めることもへたらせることも一切ないなど、各種の優れた効果を奏するものである。【０００８】  また、請求項２に係る発明によれば、前記装飾具本体の裏面に設けたベルト通し部に設けた前記被連結棒に一端のフックを連結したファションチェーンの他端に取り付けた鍵の束をズボンのポケットに入れ、ファションチェーンをポケット外にループ状に垂れ下げて男気を強調することができる。また、ファションチェーンを二重に巻いてネックレス状にして装飾具本体を胸に飾ることもできるなど各種の優れた効果を奏するものである。
【発明を実施するための最良の形態】
【０００９】  次に、本発明の実施態様について図面を参照して説明する。図１は本願装飾具及びファションチェーンを示す正面図、図２は本願装飾具の裏面に偏平環状のベルト通しを示す側面断面図、図３は本願装飾具の使用状態を示す斜視図である。【００１０】  本願装飾具１は、図１の如く、装飾具本体２と、その裏面に設けたベルト通し部３と、該ベルト通し部３の適所に設けた被連結棒４、５を備えてなる。該ベルト通し部３は本実施例では２本の棒体３ａ、３ｂを、図２の如く、偏平環状に屈曲し、該屈曲部の外面８を前記装飾具本体２の裏面に当接させて接着剤又は溶接などの接着手段により固定してなる。【００１１】  前記被連結棒４、５のうち、一方４は前記ベルト通し部３の上位（該ベルト通し部３の中間部）に設けられ、付属したファションチェーン６を二重に巻いてネックレス状にして前記装飾具本体２を胸前に飾るときに、ファションチェーン６の両端に設けたフック７ａ、７ｂを連結するときに使用する。また、下位（屈曲部の下端）に設けた被連結棒５は前記ファションチェーン６の一端に設けたフック７ａを結合するときに使用する。この場合にはファションチェーン６の他端に設けたフック７ｂには図示していないが、鍵の束や人形その他の飾りものが取り付けられることになる。【００１２】  前記装飾具本体２の装飾物としては、汽車、飛行機、船舶などの乗物、犬や猫などの動物その他特に限定されないが、実施例では、図１の如く、ドクロＡと交叉させた骨Ｂ、Ｃを重ねて配置した立体物になっている。ドクロと交叉させた骨を表したマークとしては「海賊マーク」がある。また、ドクロは危険物のマークとしてのイメージもあるが、最近ではＴシャツの柄（ガラ）にも使われるようになってきている。「あなたより重要な人物なのだ」というような男気を強調するようなマークとして男性のあいだでは人気をはくしている。【００１３】  また、装飾具本体２が「ドクロ」の場合には、「金」又は「銀」、又は金メッキ、銀メッキした金属で作られると格好いい。勿論、ドクロを含め、乗物、動物、その他をプラスチックや陶器で作ってもよい。【００１４】  前記ベルト通し部３は、前記装飾具本体２の裏面に、長尺幅部材を縦方向に偏平環状に屈曲して使用してもよい。要は、図３の如く、ウエストベルト９が通り易くなるようにしていればよい。【００１５】  次に、本願装飾具１の作用を説明する。まず、本願装飾具１の裏面に設けたベルト通し部３に、ズボン１０のウエスト部に配置されたベルト通し部１１に通したウエストベルト９を通すことにより取り付ける。【００１６】  本願装飾具１は、装飾具本体２として男気を示す「ドクロ」を設けている。したがって、ウエストバンド９に飾った本願装飾具１は、ジャケットの前から奥ゆかしく他人に見せることができることから極めて満足感が高くなる。しかも、ズボン１０のベルト通し部１１は、本来のベルト通しとして用いられ、本願装飾具１を飾るためには全く使用していないので、ズボン１０のベルト通し部１１を傷めるようなことは一切ない。
【産業上の利用可能性】
【００１７】  本願装飾具１は、ズボンのベルト通しに通したウエストベルトの先端部に簡単に飾ることのできるもので、装飾業界など、産業上の利用可能性は極めて高いものである。
【図面の簡単な説明】
【００１８】
【図１】本願装飾具及び一部切欠したファションチェーンを示す正面図である。
【図２】本願装飾具の裏面に偏平環状のベルト通しを示す側面断面図である。
【図３】本願装飾具の使用状態を示す斜視図である。
【図４】従来例を示す斜視図である。
【符号の説明】
【００１９】１  本願装飾具
２  装飾具本体
３  ベルト通し部
３ａ、３ｂ  棒体
４、５  被連結棒
６  ファションチェーン
７ａ、７ｂ  フック
８  屈曲部外面
Ａ  ドクロ
Ｂ、Ｃ  交叉させた骨
【図１】
2017209471.tif 000003
【図２】
2017209471.tif 000004
【図３】
2017209471.tif 000005
【図４】
2017209471.tif 000006